(57)【特許請求の範囲】
【請求項１】
複数のパネルのパネル本体どうしを、各パネル本体に設けたシャフト差込用の穴に連結シャフトを差し込むことによって、切離し可能に連結するようにしてなるパネルの連結構造であって、
パネル本体の四隅部に夫々、パネル本体の上端面又は下端面に開口するシャフト差込用縦穴とパネル本体の左側端面又は右側端面に開口するシャフト差込用横穴とを形成したコーナー部材を取り付け、このコーナー部材のシャフト差込用縦穴又は横穴に連結シャフトを差し込むことによって、パネル本体どうしを連結するようにしてなることを特徴とするパネルの連結構造。
【請求項２】
所定間隔で平行に配して一端部どうしを連結具により連結固定した２本の連結シャフトの一方を、一方のパネル本体のコーナー部材のシャフト差込用縦穴に差し込み、他方の連結シャフトを他方のパネル本体の対向するコーナー部材のシャフト差込用縦穴に差し込むことによって、両パネル本体を連結するようにしてなることを特徴とする請求項２に記載のパネルの連結構造。
【請求項３】
１本の連結シャフトの一端部側を一方のパネル本体のコーナー部材のシャフト差込用横穴に差し込み、同シャフトの他端部側を他方のパネル本体の対向するコーナー部材のシャフト差込用横穴に差し込むことによって、両パネル本体を連結するようにしてなることを特徴とする請求項２に記載のパネルの連結構造。
【請求項４】
前記連結具を接地用ベースの中央部に取り付けて、この連結具に２本の連結シャフトを立設するようにしてなることを特徴とする請求項３に記載のパネルの連結構造。
【発明の詳細な説明】
【０００１】
【発明の属する技術分野】
本発明は、例えばガーデニングに使用される園芸用ラチスパネル（格子状のパネル）、あるいは、目隠しや間仕切りとして使用されるパネル、その他のパネルを互いに連結するためのパネルの連結構造に関する。
【０００２】
【従来の技術及びその課題】
例えば複数枚の園芸用ラチスパネルを連結するのに、従来では、針金や結束用の紐等を使用し、連結すべき両パネルの隣接する縦框をその針金や紐等で縛った状態に連結するようにしていたが、連結作業に手間がかかる上、パネルどうしを的確に安定良く連結することができなかった。
【０００３】
本発明は、パネル相互を的確に安定良く連結することができるパネルの連結構造を提供することを目的とする。
【０００４】
【課題を解決するための手段】
請求項１に係る発明は、複数のパネルＰのパネル本体１どうしを、各パネル本体１に設けたシャフト差込用の穴８，９に連結シャフト１０，１１，１２を差し込むことによって、切離し可能に連結するようにしてなるパネルの連結構造であって、パネル本体１の四隅部に夫々、パネル本体１の上端面又は下端面に開口するシャフト差込用縦穴８とパネル本体１の左側端面又は右側端面に開口するシャフト差込用横穴９とを形成したコーナー部材７を取り付け、このコーナー部材７のシャフト差込用縦穴８又は横穴９に連結シャフト１０、１１、１２を差し込むことによって、パネル本体１どうしを連結するようにしてなることを特徴とする。
【０００６】
請求項２は、請求項１に記載のパネルの連結構造において、所定間隔で平行に配して一端部どうしを連結具１３又は１９により連結固定した２本の連結シャフト１０，１０、１１，１１の一方を、一方のパネル本体１のコーナー部材７のシャフト差込用縦穴８に差し込み、他方の連結シャフト１０，１０、１１，１１を他方のパネル本体１の対向するコーナー部材７のシャフト差込用縦穴８に差し込むことによって、両パネル本体１，１を連結するようにしてなることを特徴とする。
【０００７】
請求項３は、請求項１に記載のパネルの連結構造において、１本の連結シャフト１２の一端部側を一方のパネル本体１のコーナー部材７のシャフト差込用横穴９に差し込み、同シャフト１２の他端部側を他方のパネル本体１の対向するコーナー部材７のシャフト差込用横穴９に差し込むことによって、両パネル本体１，１を連結するようにしてなることを特徴とする。
【０００８】
請求項４は、請求項２に記載のパネルの連結構造において、前記連結具１３を接地用ベース１４の中央部に取り付けて、この連結具１３に２本の連結シャフト１０，１０を立設するようにしてなることを特徴とする。
【０００９】
【発明の実施の形態】
以下、本発明の実施形態について図１〜図１５を参照して説明すると、先ず、図１は、複数枚のラチスパネルＰのパネル本体１どうしを連結してテラス等に設置し、例えば目隠しを兼ねた園芸用ラチスパネルとして使用している状態を斜視図で示す。各ラチスパネルＰのパネル本体１は、図１の他、図７、図８、図１１、図１４及び図１５にも示すように、上下横框２，３と左右縦框４，５とを矩形状に枠組みし、これに格子状に組まれた格子部材６を取り付けてなるもので、各横框２，３と各縦框４，５とが交差するパネル本体１の隅角部には、コーナー部材７がパネル本体１と一体的に取り付けられている。
【００１０】
パネル本体１には四隅の角部に夫々コーナー部材７が取り付けられているが、各コーナー部材７は同じ構造のもので、図２は、そのコーナー部材７を下横框３と左縦框４との交差部に取り付けた状態で示し、図３の（Ａ）は、そのコーナー部材７の縦断正面図、（Ｂ）はそのコーナー部材７の左側面図である。このコーナー部材７は、プラスチックで一体成形されたもので、コーナー部材本体７ａと、この本体７ａから互いに直角を成すように突設された一対の取付部７ｂ，７ｂとからなり、両取付部７ｂ，７ｂはパネル本体１の上横框３又は下横框４と左縦框４又は右縦框５とに夫々挿入されてビス等で固定される。
【００１１】
コーナー部材７のコーナー部材本体７ａには、パネル本体１の上端面又は下端面に開口するシャフト差込用縦穴８と、パネル本体１の左側端面又は右側端面に開口するシャフト差込用横穴９とが形成されている。図２及び図３には、シャフト差込用縦穴８及びシャフト差込用横穴９の夫々の開口端部を８ｏ，９ｏで示す。尚、図２に示すコーナー部材７は、下横框３と左縦框４との交差部に取り付けられたものであるから、シャフト差込用縦穴８はパネル本体１の下端面に開口し、シャフト差込用横穴９はパネル本体１の左側端面に開口することになる。
【００１２】
図４は、パネル本体１の四隅部に取り付けられたコーナー部材７を利用して２枚のラチスパネルＰ，Ｐのパネル本体１、１どうしを連結する２本１組の連結シャフト１０，１０を示す。ここに示す連結シャフト１０，１０は、両ラチスパネルＰ，Ｐのパネル本体１，１の下端部どうしを連結するもので、所定間隔をおいて平行に配した状態で両連結シャフト１０，１０の一端部どうしを連結具１３により連結固定し、この連結具１３を接地用ベース１４上の中央部に立設して、組立体Ｋ１を形成している。各連結シャフトの所要部には連結シャフト１０をパネル本体１側に固定するボルト１６を挿通するためのボルト挿通孔１５が設けてある。１７はボルト１６の先端部に螺合する袋ナットを示す。
【００１３】
図６は、上記連結シャフト１０，１０と連結具１３と接地用ベース１４との組立体Ｋ１を詳細に示すもので、（Ａ）は正面図、（Ｂ）は平面図、（Ｃ）は側面図である。接地用ベース１４は、帯状の基板部１４ａと、この基板部１４ａ上に一体に条設された突条部１４ｂとからなる。連結具１３は、接地用ベース１４の突条部１４ｂの長手方向中央部に跨がった状態で取り付け固定されていて、２つのシャフト嵌合孔１３ａ，１３ａに前記２本の連結シャフト１０，１０の下端部を嵌合してビス又はかしめによって固定するようになっている。
【００１４】
上記のような連結シャフト１０，１０と連結具１３と接地用ベース１４との組立体Ｋ１を用いてラチスパネルＰを連結するには、接地用ベース１４を床面上に接地した状態で、図７及び図１４に示すように、連結すべき一方のラチスパネルＰのパネル本体１の下端部側にあるコーナー部材７を一方の連結シャフト１０に近づけ、そのパネル本体１を持ち上げて連結シャフト１０をコーナー部材７のシャフト差込用縦穴８に差し込む。しかる後、他方のラチスパネルＰのパネル本体１の下端部側にあるコーナー部材７を他方の連結シャフト１０に近づけて、パネル本体１を持ち上げた状態からその連結シャフト１０をコーナー部材７のシャフト差込用縦穴８に差し込むようにする。
【００１５】
このままの状態では、各連結シャフト１０がコーナー部材７の縦穴８に対し回転自在であるから、双方のラチスパネルＰ，Ｐを面一状に固定する場合は、図７に示すように、パネル本体１の縦框４に設けてあるボルト挿通穴（図示せず）から連結シャフト１０のボルト挿通穴１５（図４参照）に亘ってボルト１６を挿通し、袋ナット１７を締め付けることによって、両ラチスパネルＰを一体的に固定することができる。
【００１６】
上記組立体Ｋ１は、２本１組の連結シャフト１０，１０によって、両パネル本体１，１の下端部どうしを連結するもので、床面上に接地される接地用ベース１４を備えているから、双方のラチスパネルＰ，Ｐを連結すると共に、双方のラチスパネルＰ，Ｐを立てた状態で安定に支持するスタンドの役割を有する。
【００１７】
図８は、両パネル本体１，１のパネル本体１，１の上端部どうしを１本の連結シャフト１２によって連結した状態を示し、図９の（Ａ）は連結シャフト１２の平面図、（Ｂ）は正面図である。この連結シャフト１２は、図１４に示すように、その一端部側を一方のラチスパネルＰのパネル本体１のコーナー部材７のシャフト差込用横穴９（図２参照）に差し込み、その他端部側を他方のラチスパネルＰのパネル本体１の対向するコーナー部材７のシャフト差込用横穴９に差し込むことによって、両パネル本体１，１を連結することができる。そして、この図８に示すように、各パネル本体１の上横框２に設けてあるボルト挿通穴（図示せず）から連結シャフト１０の各端部に設けてあるボルト挿通穴１５（図９参照）に亘ってボルト１６を挿通し、袋ナット１７を締め付けることによって、連結シャフト１２を両ラチスパネルＰ，Ｐに対し一体的に固定することができる。
【００１８】
この図８に示すように、１本の連結シャフト１２の一端部側を一方のパネル本体１のコーナー部材７のシャフト差込用横穴９に差し込むと共に、その他端部側を他方のパネル本体１の対向するコーナー部材７のシャフト差込用横穴９に差し込んで、両パネル本体１，１を連結するようにした連結構造によれば、各連結箇所には連結シャフト１２が１本で済むと共に、簡単な連結作業で両パネル本体１，１の上端部どうしを的確に連結することができる。
【００１９】
図５及び図１０は、２本の連結シャフト１１，１１と、両シャフト１１，１１を一定間隔で平行に保持するようにそれらの一端部を連結する連結具１３との組立体Ｋ２を示すもので、図４に示す組立体Ｋ１と同様に、２本１組の連結シャフト１１，１１の一方を一方のパネル本体１のコーナー部材７のシャフト差込用縦穴８に差し込み、他方の連結シャフト１１を他方のパネル本体１の対向するコーナー部材７のシャフト差込用縦穴８に差し込むことによって、両パネル本体１１，１１を連結するものであるが、この実施形態では、下端部どうしが組立体Ｋ１の連結シャフト１０，１０で連結されるラチスパネルＰ，Ｐのパネル本体１，１の上端部どうしを連結して、両ラチスパネルＰ，Ｐを互いに回転できるようにする場合について例示している。図１０の（Ａ）は上記組立体Ｋ２の正面図、（Ｂ）は平面図、（Ｃ）は側面図である。尚、組立体Ｋ２においては、連結具１３の上端に蓋板１８が取り付けてある。
【００２０】
上記組立体Ｋ２を用いてラチスパネルＰを連結するときは、図１５に示すように、下端部どうしが組立体Ｋ１の連結シャフト１０，１０で連結されたパネル本体１，１の上端部の対向するコーナー部材７，７の上方に組立体Ｋ２を持ち来し、この組立体Ｋ２の連結シャフト１１，１１を両コーナー部材７，７のシャフト差込用縦穴８，８（図２参照）に差し込めばよい。
【００２１】
この場合、図１５に示す両パネル本体１，１において、左側のパネル本体１の下端部及び上端部のコーナー部材７，７のシャフト差込用縦穴８，８に差し込んだ連結シャフト１０，１１は、夫々ボルト１６及びナット１７によってパネル本体１に対し一体的に固定するが、同図の右側に示すパネル本体１の下端部及び上端部のコーナー部材７，７のシャフト差込用縦穴８，８に差し込んだ連結シャフト１０，１１は、夫々パネル本体１に対して固定せず、回転可能な状態とする。これによって、図１５の右側に示すラチスパネルＰは左側のラチスパネルＰに対して回転可能となり、この形態を図１、図１１及び図１２に示す。
【００２２】
図１の右端に示すラチスパネルＰのパネル本体１は、その左側に面一状に連結された５枚のラチスパネルＰに対し９０度回転した位置に配置されている。また、この状態を図１１及び図１２に示す。即ち、図１１の右側に示すラチスパネルＰのパネル本体１は、左側のラチスパネルＰのパネル本体１に対し９０度回転した位置にある。また、図１２には、右側に示すラチスパネルＰが、左側のラチスパネルＰに対し面一状にある状態を実線で示し、４５度及び９０度回転した状態を夫々仮想線で示している。
【００２３】
図１３は、図５及び図１０に示す組立体Ｋ２と同様な組立体Ｋ２′を示すもので、２本の連結シャフト１１，１１の一端部相互を平板状の連結具１９によって連結固定した点が、組立体Ｋ２と異なっている。この組立体Ｋ２′も、この図１３に仮想線で示すように、連結シャフト１１，１１の一方を一方のパネル本体１のコーナー部材７のシャフト差込用縦穴８に差し込み、他方の連結シャフト１１を他方のパネル本体１の対向するコーナー部材７のシャフト差込用縦穴８に差し込むことによって、両パネル本体１１，１１を連結するようになっている。
【００２４】
以上説明した実施形態のように、パネル本体１の四隅部に夫々、パネル本体１の上端面又は下端面に開口するシャフト差込用縦穴８とパネル本体１の左側端面又は右側端面に開口するシャフト差込用横穴９とを形成したコーナー部材７を取り付け、このコーナー部材７のシャフト差込用縦穴８又は横穴９に連結シャフト１０，１１，１２を差し込むようにすることによって、連結シャフト１０，１１，１２が長くなっても、その長い連結シャフト１０，１１，１２をコーナー部材７のシャフト差込用縦穴８又はシャフト差込用横穴９からパネル本体１の縦框又は横框内に挿入できるので、連結シャフト１０，１１，１２の一部がパネル本体１の外部に露出するようなことがなく、パネルがラチスパネルＰのような場合には好適である。
【００２６】
【発明の効果】
請求項１に係る発明のパネルの連結構造によれば、複数のパネルのパネル本体どうしを、各パネル本体に設けたシャフト差込用の穴に連結シャフトを差し込むことによって、切離し可能に連結するようにしたものであるから、各パネル本体側のシャフト差込用穴とこれに差し込まれる連結シャフトによって、パネルどうしを的確に安定良く連結することができる。特にこの発明のパネルの連結構造のように、パネル本体の四隅部に夫々、シャフト差込用縦穴とシャフト差込用横穴とを形成したコーナー部材を取り付けて、このコーナー部材のシャフト差込用縦穴又は横穴に連結シャフトを差し込むようにすることにより、連結シャフトが長くても、その長い連結シャフトをコーナー部材のシャフト差込用縦穴又はシャフト差込用横穴からパネル本体の縦框内又は横框内に挿入できるので、連結シャフトの一部がパネル本体からはみ出すようなことがなくて、外観上の体裁もよく、特にパネルがラチスパネルのような場合に好適である。
【００２８】
請求項２に係る発明のパネルの連結構造のように、一端部どうしを連結具により連結固定した２本の連結シャフトの一方を、一方のパネル本体のコーナー部材のシャフト差込用縦穴に差し込み、他方の連結シャフトを他方のパネル本体の対向するコーナー部材のシャフト差込用縦穴に差し込むようにすれば、両方のパネルを的確で安定良く連結できると共に、一方のパネル本体と他方のパネル本体とを互いに回転可能に連結することができる。
【００２９】
請求項３に係る発明のパネルの連結構造のように、１本の連結シャフトの一端部側を一方のパネル本体のコーナー部材のシャフト差込用横穴に差し込み、同シャフトの他端部側を他方のパネル本体の対向するコーナー部材のシャフト差込用横穴に差し込むようにすれば、各連結箇所では連結シャフトが１本で済むと共に、簡単な連結作業で両パネル本体の上端部どうしを的確に連結できる。
【００３０】
請求項４に係る発明のパネルの連結構造のように、前記連結具を接地用ベースの中央部に取り付けて、この連結具に２本の連結シャフトを立設するようにすれば、上記２本の連結シャフトでパネルの下端部どうしを連結すると共に、接地用ベースによってパネルを立てた状態で安定に支持させることができる。
【図面の簡単な説明】
【図１】本発明の一実施形態を示すもので、相互に連結された園芸用ラチスパネルの斜視図である。
【図２】コーナー部材を下横框と左縦框との交差部に取り付けて状態で示す斜視図である。
【図３】（Ａ）はコーナー部材の縦断正面図、（Ｂ）は（Ａ）に示すコーナー部材の左側面図である。
【図４】連結シャフトと連結具と接地用ベースとの組立体を示す斜視図である。
【図５】連結シャフトと連結具との組立体を示す斜視図である。
【図６】（Ａ）は図４に示す組立体の正面図、（Ｂ）は平面図、（Ｃ）は側面図である。
【図７】（Ａ）は図４に示す組立体の連結シャフトの使用状態を示す斜視図である。
【図８】１本の連結シャフトで両パネル本体の上端部どうしを連結している状態を示す正面図である。
【図９】（Ａ）は図８に示す連結シャフトの平面図、（Ｂ）は正面図である。
【図１０】（Ａ）は図５に示す連結シャフトと連結具との組立体の正面図、（Ｂ）は平面図、（Ｃ）は側面図である。
【図１１】図５に示す組立体の使用状態を示す正面図である。
【図１２】図５に示す組立体の使用状態を示す平面図である。
【図１３】連結シャフトと連結具との組立体の他の例を示す斜視図である。
【図１４】パネル本体の連結要領を示す説明図である。
【図１５】パネル本体の連結要領を示す説明図である。
【符号の説明】
Ｐ                  ラチスパネル
１                  パネル本体
２                  パネル本体の上横框
３                  パネル本体の下横框
４                  パネル本体の左縦框
５                  パネル本体の右縦框
６                  パネル本体の格子部材
７                  コーナー部材
８                  シャフト差込用縦穴
９                  シャフト差込用横穴
１０，１１，１２    連結シャフト
１３，１９          連結具
１４                接地用ベース
Ｋ１                連結シャフトと連結具と接地用ベースの組立体
Ｋ２，Ｋ２′        連結シャフトと連結具と組立体
【図１】
0003559522.tif 000002
【図２】
0003559522.tif 000003
【図３】
0003559522.tif 000004
【図４】
0003559522.tif 000005
【図５】
0003559522.tif 000006
【図６】
0003559522.tif 000007
【図７】
0003559522.tif 000008
【図８】
0003559522.tif 000009
【図９】
0003559522.tif 000010
【図１０】
0003559522.tif 000011
【図１１】
0003559522.tif 000012
【図１２】
0003559522.tif 000013
【図１３】
0003559522.tif 000014
【図１４】
0003559522.tif 000015
【図１５】
0003559522.tif 000016